(57)【特許請求の範囲】
【請求項１】
機械室に配置された冷媒配管に接続されるバルブと、
前記機械室に設置され、前記バルブが取り付けられるバルブベッドと、
前記バルブベッドに前記バルブを固定する押え板と、
前記押え板を前記バルブベッドに締結する複数の固定部材と、を備え、
前記押え板は、
前記バルブベッドに接する本体部と、
前記本体部の２カ所からそれぞれ延設され、前記バルブに設けられている取付足に接する足押え部と、を有し、
前記本体部には、前記複数の固定部材のうちの一部が挿通される第１孔部が複数形成され、
前記足押え部のそれぞれには、前記複数の固定部材のうちの一部が挿通される第２孔部が形成されており、
前記第１孔部のうち少なくとも２つは、
前記足押え部にそれぞれ形成されている前記第２孔部に対応した位置に形成され、
前記第１孔部のうち少なくとも１つは、
前記足押え部に形成されている前記第２孔部と、この第２孔部に対応した位置に形成されている前記第１孔部とともに直線上に並ぶように形成されている
室外機。
【請求項２】
前記押え板は、
前記バルブと前記バルブベッドの間に挿入された状態で前記固定部材が締結される
請求項１に記載の室外機。
【請求項３】
前記押え板は、
前記本体部から延設され、前記バルブベッドの上端部に位置する係止部と、
前記係止部から延設された引っかけ部と、を更に有している
請求項１又は２に記載の室外機。
【請求項４】
前記本体部は、
正面視Ｌ字形状又は矩形状に構成されている
請求項１〜３のいずれか一項に記載の室外機。
【請求項５】
請求項１〜４のいずれか一項に記載の室外機と、
前記室外機に接続される室内機と、を備えた
空気調和機。
【発明の詳細な説明】
【技術分野】
【０００１】  本発明は、冷媒配管が接続されるバルブを支持する構造を備えた室外機及び空気調和機に関するものである。
【背景技術】
【０００２】  空気調和機は、室外機と室内機とを有し、これらに配置されている要素機器が冷媒配管で接続されるようになっている。室外機は、略直方体形状のケーシング（外郭パネル）を備えている。ケーシングは、鉛直方向に延びる仕切板（セパレータ）によって内部が送風機室と機械室とに分割されている。そして、送風機室には、主として、室外熱交換器及び室外ファンが配置され、機械室には、主として、圧縮機が配置されている。また、室外機は、液側バルブ及びガス側バルブを固定するバルブベッドを備えている。【０００３】  例えば、特許文献１には、フレアバルブを、押え板を介してバルブベッド（取付板）にピンで固定するようにしたフレアバルブ固定装置が記載されている。  また、特許文献２には、バルブベッド（取付板）のＺ字状突起部と押え板（固定具）でフレアバルブを挟んで固定するようにしたフレアバルブ取付装置が記載されている。
【先行技術文献】
【特許文献】
【０００４】
【特許文献１】実開昭６３−１９１２４号公報
【特許文献２】実開平１−１２００１７号公報
【発明の概要】
【発明が解決しようとする課題】
【０００５】  空気調和機、特に冷房専用機の空気調和機では、室外機に配置されている圧縮機の吸入配管が、直接、ガス側バルブに接続されている。そのため、空気調和機の運転時、あるいは、室外機の輸送時において、圧縮機の振動が、吸入配管を介して、ガス側バルブに伝わることになる。圧縮機の振動がガス側バルブに伝わると、ガス側バルブを間接的に固定している押え板のピン又はネジが緩んだり、外れたりしてしまう可能性があった。【０００６】  本発明は、上記のような課題を解決するためになされたもので、バルブを固定する固定部材の緩みを抑制するようにした室外機及び空気調和機を提供することを目的とする。
【課題を解決するための手段】
【０００７】
本発明に係る室外機は、機械室に配置された冷媒配管に接続されるバルブと、前記機械室に設置され、前記バルブが取り付けられるバルブベッドと、前記バルブベッドに前記バルブを固定する押え板と、前記押え板を前記バルブベッドに締結する複数の固定部材と、を備え、前記押え板は、前記バルブベッドに接する本体部と、前記本体部の２カ所からそれぞれ延設され、前記バルブに設けられている取付足に接する足押え部と、を有し、前記本体部には、前記複数の固定部材のうちの一部が挿通される第１孔部が複数形成され、前記足押え部のそれぞれには、前記複数の固定部材のうちの一部が挿通される第２孔部が形成されており、前記第１孔部のうち少なくとも２つは、前記足押え部にそれぞれ形成されている前記第２孔部に対応した位置に形成され、前記第１孔部のうち少なくとも１つは、前記足押え部に形成されている前記第２孔部と、この第２孔部に対応した位置に形成されている前記第１孔部とともに直線上に並ぶように形成されているものである。
【０００８】  本発明に係る空気調和機は、上記の室外機と、前記室外機に接続される室内機と、を備えたものである。
【発明の効果】
【０００９】  本発明に係る室外機によれば、複数の第１孔部が形成された本体部及び第２孔部が形成された足押え部を備えた押え板を介してバルブをバルブベッドに固定しているので、押さ板が複数箇所で取り付けられることになり、固定部材のそれぞれに加わる衝撃を分散でき、固定部材それぞれの緩みの発生を大幅に抑制できる。【００１０】  本発明に係る空気調和機によれば、上記の室外機を備えているので、固定部材の緩みの発生を大幅に抑制でき、信頼性の高い空気調和機が実現できる。
【図面の簡単な説明】
【００１１】
【図１】本発明の実施の形態１に係る室外機の内部構成の一例を示す平面図である。
【図２】本発明の実施の形態１に係る室外機の固定部周辺を拡大して示す斜視図である。
【図３】従来の室外機におけるバルブ支持構造を示す拡大斜視図である。
【図４】従来の室外機におけるバルブ支持構造を示し拡大側面図である。
【図５】本発明の実施の形態１に係る室外機におけるバルブ支持構造を示す拡大斜視図である。
【図６】本発明の実施の形態１に係る室外機に適用される押え板の構成を示す拡大斜視図である。
【図７】本発明の実施の形態１に係る室外機における押え板が取り付けられたバルブベッドの状態を示す拡大縦断面図である。
【図８】本発明の実施の形態２に係る室外機に適用される押え板の構成を示す拡大斜視図である。
【図９】本発明の実施の形態３に係る空気調和機の冷媒回路構成の一例を示す概略構成図である。
【発明を実施するための形態】
【００１２】  以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１３】実施の形態１．  図１は、本発明の実施の形態１に係る室外機５０の内部構成の一例を示す平面図である。図２は、室外機５０の固定部周辺を拡大して示す斜視図である。図１及び図２に基づいて、室外機５０の構成について説明する。なお、図１では、室外機５０から天板を取り除いて、室外機５０の内部を平面視した状態を図示している。また、図２では、図１に示す室外機５０を紙面右下の方向から見た状態を示している。
【００１４】  室外機５０は、実施の形態２で詳細に説明する空気調和機１００の一構成として室内機（図９に示す室内機８０）とともに使用されるものである。  室外機５０は、空調対象空間とは別空間（例えば屋外）に設置され、室内機に冷熱又は温熱を供給する機能を有する。  室内機は、空調対象空間に冷熱又は温熱を供給する空間（例えば屋内）に設置され、室外機５０から供給された冷熱又は温熱により空調対象空間を冷却又は加温する機能を有する。  室外機５０は、室内機に冷媒配管９０を介して接続される。
【００１５】  図１に示すように、室外機５０は、略直方体形状の外郭パネル２０を備えている。また、室外機５０は、外郭パネル２０の他に、室外送風機７１、圧縮機６０、室外熱交換器７０、液側バルブ５１、ガス側バルブ５２、及び、冷媒配管９０など冷凍サイクルの構成に必要な部材を備えている。なお、以下で説明する実施の形態２に示すように、流路切替装置（図９に示す流路切替装置６６）を室外機５０に備え、冷却運転（冷房運転）と加温運転（暖房運転）とを切り換え可能にしてもよい。
【００１６】  外郭パネル２０は、セパレータ４０によって内部が機械室２０Ａと、送風機室２０Ｂとに分割されている。セパレータ４０は、外郭パネル２０に設置された状態において、鉛直方向に延びるように構成されている。
【００１７】  送風機室２０Ｂには、主として、室外熱交換器７０及び室外送風機７１が配置されている。  室外熱交換器７０は、暖房運転時には蒸発器として機能し、冷房運転時には凝縮器として機能するものである。室外熱交換器７０は、例えばフィン・アンド・チューブ型熱交換器で構成することができる。
【００１８】  室外送風機７１は、室外熱交換器７０に付設されており、室外熱交換器７０に熱交換流体である空気を供給するものである。  室外送風機７１が稼働しているとき、空気が図１の上の方向から外郭パネル２０の内部に吸い込まれ、室外熱交換器７０と熱交換した後、図１の下の方向へ吹き出される。  室外送風機７１は、例えば複数の翼を有するプロペラファンであり、送風機室２０Ｂの内部の室外熱交換器７０の図１の下側（下流側）で外郭パネル２０に形成されている吹出口に対向するように配置されている。室外送風機７１は、送風機用電動機（図示省略）によって回転駆動される。
【００１９】  機械室２０Ａには、主として、圧縮機６０及び冷媒配管９０が配置されている。  圧縮機６０は、冷媒を圧縮するものである。圧縮機６０は、例えば、ロータリ圧縮機、スクロール圧縮機、スクリュー圧縮機、往復圧縮機等で構成することができる。圧縮機６０には、冷媒配管９０の一部である吐出配管及び吸入配管が接続されている。なお、冷房専用機に室外機５０を採用する場合、吸入配管には、ガス側バルブ５２が接続されている。
【００２０】  なお、冷凍サイクルは、圧縮機６０、室外熱交換器７０、絞り装置（図９に示す絞り装置６５）、室内熱交換器（図９に示す室内熱交換器８１）が冷媒配管９０によって配管接続されることで構成される。
【００２１】  冷房専用機に室外機５０を採用する場合、圧縮機６０の吸入配管はガス側バルブ５２に直接接続されている。ガス側バルブ５２は、液側バルブ５１と並んで、バルブベッド３０に取り付けられている。バルブベッド３０は、その両端が、セパレータ４０及び外郭パネル２０にそれぞれネジ９２などの固定部材にて締結されている。バルブベッド３０は、ガス側バルブ５２の位置において平面視Ｌ字形状となるように折り曲げられている。
【００２２】  例えば、図２に示すように、バルブベッド３０の端部に取付板３１を設置して、取付板３１を介してバルブベッド３０を外郭パネル２０に取り付けるようにしてもよい。バルブベッド３０は、図２に示すように、機械室２０Ａ内であって圧縮機６０の前面上側に取り付けられている。なお、圧縮機６０の前面とは、外郭パネル２０に形成された吹出口の面のことである。また、取付板３１を設置せずに、バルブベッド３０を外郭パネル２０に取り付けるようにしてもよい。
【００２３】  ここで、冷媒配管が接続されるバルブの支持構造（以下、バルブ支持構造と称する）について説明する。  まず、比較例としての室外機におけるバルブ支持構造の問題点について説明する。図３は、比較例としての室外機におけるバルブ支持構造を示す拡大斜視図である。図４は、比較例としての室外機におけるバルブ支持構造を示し拡大側面図である。なお、比較例としての室外機の構成については、末尾に「Ｘ」を付記して、実施の形態１に係る室外機５０の構成と区別するものとする。
【００２４】  比較例としての室外機においては、ガス側バルブ５２Ｘが、固定部材であるネジ９１Ｘにてバルブベッド３０Ｘに直接締結されるようになっている。図３では、バルブベッド３０Ｘの端部に取付板３１Ｘを設置した状態を例に示している。つまり、比較例としての室外機においては、バルブベッド３０Ｘが、取付板３１Ｘを介して外郭パネルに取り付けるようになっている。
【００２５】  ガス側バルブ５２Ｘには、バルブベッド３０Ｘに取り付けための取付足５２ａＸが水平方向に延びるように設けられている。また、比較例としての室外機においては、圧縮機の吸入配管（冷媒配管９０Ｘ）は、直接、ガス側バルブ５２Ｘに接続されている。そのため、室外機の運転時、あるいは、室外機の輸送時において、圧縮機で発生した振動が、吸入配管を介して、ガス側バルブ５２Ｘに伝わることになる。つまり、室外機の運転時又は室外機の輸送時に発生する圧縮機の振動が、吸入配管を左右方向に揺らすことになる（図４に示す矢印）。
【００２６】  吸入配管が左右方向に揺らされると、ガス側バルブ５２Ｘを締結しているネジ９１Ｘに締め付け方向と同じ方向又は反対方向に力が加わることになる。そのため、ネジ９１Ｘが緩んだり、外れたりしてしまう可能性があった。
【００２７】  次に、実施の形態１に係る室外機５０におけるバルブ支持構造について説明する。図５は、室外機５０におけるバルブ支持構造を示す拡大斜視図である。図６は、室外機５０に適用される押え板１０の構成を示す拡大斜視図である。図７は、室外機５０における押え板１０が取り付けられたバルブベッド３０の状態を示す拡大縦断面図である。
【００２８】  室外機５０においては、ガス側バルブ５２は、押え板１０を介してネジ９１にてバルブベッド３０に締結される。ガス側バルブ５２には、バルブベッド３０に取り付けための取付足５２ａが水平方向に延びるように設けられている。室外機５０においても、圧縮機６０の吸入配管（冷媒配管９０）は、ガス側バルブ５２に接続されている。そのため、比較例としての室外機と同様に、室外機５０の運転時、あるいは、室外機５０の輸送時において、圧縮機６０で発生した振動が、吸入配管を介して、ガス側バルブ５２に伝わることになる。
【００２９】  そこで、室外機５０においては、押え板１０を用いたバルブ支持構造を採用することとした。なお、押え板１０は、板金部材を加工して形成するとよい。  押え板１０は、図６に示すように、正面視Ｌ字形状の本体部１０Ｂと、本体部１０Ｂから延設された２つの足押え部１０Ａと、本体部１０Ｂの足押え部１０Ａとは反対側に延設された係止部１０Ｃと、係止部１０Ｃの本体部１０Ｂと反対側に延設された引っかけ部１０Ｄと、で構成されている。
【００３０】  本体部１０Ｂは、バルブベッド３０に接してネジ止めされる部分である。本体部１０Ｂは、正面視Ｌ字形状になっており、押え板１０がバルブベッド３０に取り付けられた状態において水平方向に延びる第１直線部１０Ｂａと、押え板１０がバルブベッド３０に取り付けられた状態において第１直線部１０Ｂａの一端側（図５の紙面左側）を鉛直方向上側に延ばした第２直線部１０Ｂｂと、を有する。なお、第１直線部１０Ｂａの他端側（図５の紙面右側）の上側であって、第２直線部１０Ｂｂの図５の紙面右側は、板金部材がなく、解放されている。
【００３１】  また、本体部１０Ｂには、ネジ９１が挿通される第１孔部が少なくとも３カ所に開口形成されている。３カ所のうちの２カ所に形成されている第１孔部である孔部１０Ｂ２は、第１直線部１０Ｂａの足押え部１０Ａに対応した位置に形成されている。また、３カ所のうち残りの１カ所に形成されている第１孔部である孔部１０Ｂ１は、対応する足押え部１０Ａに形成されている孔部１０Ａ１と孔部１０Ｂ２と直線上に並ぶように第２直線部１０Ｂｂに形成されている。
【００３２】  足押え部１０Ａは、ガス側バルブ５２の取付足５２ａを押えてバルブベッド３０とネジ止めされる部分である。足押え部１０Ａは、本体部１０Ｂの第１直線部１０Ｂａの第２直線部１０Ｂｂとは反対側であって、第１直線部１０Ｂａの両端から鉛直方向下側に向かって延びるように構成されている。足押え部１０Ａは、図７に示すように、断面視した状態において、空間部９５が形成されるように少なくとも２回折り曲げられて構成されている。バルブベッド３０にガス側バルブ５２が固定されると、空間部９５に、ガス側バルブ５２の取付足５２ａが位置することになる。また、足押え部１０Ａには、ネジ９１が挿通される第２孔部である孔部１０Ａ１が開口形成されている。
【００３３】  係止部１０Ｃは、押え板１０がバルブベッド３０に取り付けられた状態においてバルブベッド３０の上端部３０ａに位置する部分である。係止部１０Ｃは、本体部１０Ｂの足押え部１０Ａとは反対側に接続され、押え板１０がバルブベッド３０に取り付けられた状態において水平方向に延びるように構成されている。つまり、係止部１０Ｃは、第２直線部１０Ｂｂの第１直線部１０Ｂａとは反対側の端部側を、第２直線部１０Ｂｂと所定の角度で接続するように折り曲げて構成されている。そして、押え板１０がバルブベッド３０に取り付けられた状態において、係止部１０Ｃがバルブベッド３０の上端部３０ａに係止される。
【００３４】  引っかけ部１０Ｄは、押え板１０がバルブベッド３０に取り付けられた状態において係止部１０Ｃの本体部１０Ｂとは反対側の端部から延設され、鉛直方向下側へ折り曲げられて構成されている。引っかけ部１０Ｄは、押え板１０がバルブベッド３０に取り付けられた状態において、本体部１０Ｂとともにバルブベッド３０を挟み込むようになっている。つまり、引っかけ部１０Ｄは、押え板１０がバルブベッド３０に取り付けられた状態において、係止部１０Ｃのバルブベッド３０の上端部３０ａの係止状態を維持しつつ、押え板１０の動きを規制する。
【００３５】  押え板１０は、バルブベッド３０にガス側バルブ５２を押し当てた状態で、上方からバルブベッド３０とガス側バルブ５２との間に挿入してネジ止めにて固定される。押え板１０がバルブベッド３０に取り付けられると、足押え部１０Ａが、ガス側バルブ５２の左右の取付足５２ａを側面方向から押え、本体部１０Ｂが、足押え部１０Ａが離れないように、本体部１０Ｂに形成した２ケ所の孔部１０Ｂ２でネジ９１により固定される。また、本体部１０Ｂがバルブベッド３０から外れないように、本体部１０Ｂの足押え部１０Ａから離れた位置に形成されている孔部１０Ｂ１でネジ９１により固定される。
【００３６】  係止部１０Ｃは、バルブベッド３０の上端部３０ａに係止され、ガス側バルブ５２に対する押え板１０の位置決めと、押え板１０の落下防止の役目を果たしている。引っかけ部１０Ｄは、バルブベッド３０の上端部３０ａに接することで、押え板１０の動きを規制する役目を果たしている。
【００３７】  以上説明したように、室外機５０は、圧縮機６０の吸入配管が直接接続されたガス側バルブ５２が、室外機５０の運転時又は室外機５０の輸送時において圧縮機６０で発生する振動が吸入配管を介してガス側バルブ５２に伝わっても、ネジ９１の緩みを抑制することができる。つまり、室外機５０は、ガス側バルブ５２の両側にある取付足５２ａを側方から足押え部１０Ａ部で押えるとともにネジ９１で固定しており、さらに本体部１０Ｂをネジ９１で固定しているため、振動が伝達されても押え板１０によって振動を拡散でき、１つ１つのネジ９１に伝達される振動を大きく低減できることになる。
【００３８】  換言すれば、室外機５０では、押え板１０を設けたことにより、ガス側バルブ５２を固定する箇所と、バルブベッド３０に固定される箇所とが分離され、複数箇所でガス側バルブ５２を固定することができ、ネジ９１に伝達される振動を分散することができる。そのため、室外機５０によれば、室外機５０の運転時又は室外機５０の輸送時において圧縮機６０で発生する振動が吸入配管を介してガス側バルブ５２に伝わっても、１つ１つのネジ９１の緩みを大幅に抑制することができる。また、押え板１０に空間部９５を形成することにより、板金を曲げた部分がバネとして機能することになり、この部分で振動を吸収することもできる。
【００３９】  また、室外機５０は、押え板１０の係止部１０Ｃがバルブベッド３０の上端部３０ａに位置するため、ガス側バルブ５２を固定する際のネジ９１の位置決めが容易となる。加えて、室外機５０は、本体部１０Ｂと引っかけ部１０Ｄでバルブベッド３０を挟み込むようになっているので、押え板１０の落下防止にも役立つ。さらに、室外機５０は、曲がり片である引っかけ部１０Ｄが押え板１０の前後の動きも規制するため、ネジ９１の緩みを更に抑制できる。
【００４０】  さらに、冷暖切換可能なヒートポンプ装置の場合、圧縮機とガス側バルブとの間に四方弁などの流路切替装置が設けられており、振動のパワーが流路切替装置により減少されることになるが、冷房専用機の場合、流路切替装置が設けられておらず、圧縮機から直にガス側バルブの配管が接続されることになるので、押え板１０の効果をより顕著に得られることになる。  なお、固定部材としてネジ９１を一例として説明したが、固定部材としてピンを採用してもよい。
【００４１】実施の形態２．  図８は、本発明の実施の形態２に係る室外機に適用される押え板１５の構成を示す拡大斜視図である。図８に基づいて、押え板１５について詳細に説明する。この実施の形態２では、実施の形態１との相違点を中心に説明するものとする。なお、便宜的に符号を変えて押え板１５としているが、基本的な構成及び機能は、実施の形態１で説明した押え板１０と同じである。
【００４２】  実施の形態１では、本体部１０Ｂ、係止部１０Ｃ、及び、引っかけ部１０Ｄの一部を切り欠いて、押え板１０を側面視した状態において本体部１０ＢがＬ字形状に構成された押え板１０について説明したが、実施の形態２では、本体部１５Ｂ、係止部１５Ｃ、及び、引っかけ部１５Ｄの一部を切り欠くことなく、押え板１５を側面視した状態において本体部１５Ｂが矩形状に構成された押え板１５について説明する。
【００４３】  押え板１５は、側面視矩形状の本体部１５Ｂと、本体部１５Ｂから延設された２つの足押え部１５Ａと、本体部１５Ｂの足押え部１５Ａとは反対側に延設された係止部１５Ｃと、係止部１５Ｃの本体部１５Ｂと反対側に延設された引っかけ部１５Ｄと、で構成されている。
【００４４】  本体部１５Ｂは、バルブベッド３０に接してネジ止めされる部分である。本体部１５Ｂは、側面視矩形状になっている。つまり、本体部１５Ｂは、実施の形態１で説明した本体部１０Ｂと比較して、解放された部分がない。また、本体部１５Ｂには、ネジ９１が挿通される孔部が少なくとも３カ所に開口形成されている。３カ所のうちの２カ所に形成されている孔部１５Ｂ１は、足押え部１５Ａに対応した位置に形成されている。また、３カ所のうち残りの１カ所に形成されている孔部１５Ｂ２は、対応する足押え部１５Ａに形成されている孔部１５Ａ１と孔部１５Ｂ１と鉛直線上に並ぶように形成されている。
【００４５】  足押え部１５Ａは、ガス側バルブ５２の取付足５２ａを押えてバルブベッド３０とネジ止めされる部分である。足押え部１５Ａは、本体部１５Ｂの係止部１５Ｃとは反対側の両端から鉛直方向下側に向かって延びるように構成されている。足押え部１５Ａも、実施の形態１で説明した足押え部１０Ａと同様に、断面視した状態において、空間部９５が形成されるように少なくとも２回折り曲げられて構成されている。また、足押え部１５Ａには、ネジ９１が挿通される孔部１５Ａ１が開口形成されている。
【００４６】  係止部１５Ｃは、バルブベッド３０の上端部３０ａに位置する部分である。係止部１５Ｃは、本体部１５Ｂの足押え部１５Ａとは反対側に接続され、押え板１５がバルブベッド３０に取り付けられた状態において水平方向に延びるように構成されている。つまり、係止部１５Ｃは、本体部１５Ｂの足押え部１０Ａとは反対側の端部側を所定の角度で接続するように折り曲げて構成されている。
【００４７】  引っかけ部１５Ｄは、押え板１５がバルブベッド３０に取り付けられた状態において係止部１５Ｃの本体部１５Ｂとは反対側の端部から延設され、鉛直方向下側へ折り曲げられて構成されている。引っかけ部１５Ｄは、押え板１５がバルブベッド３０に取り付けられた状態において、本体部１５Ｂとともにバルブベッド３０を挟み込むようになっている。
【００４８】  押え板１５は、バルブベッド３０にガス側バルブ５２を押し当てた状態で、上方からバルブベッド３０とガス側バルブ５２との間に挿入してネジ止めにて固定される。押え板１５がバルブベッド３０に取り付けられると、足押え部１５Ａが、ガス側バルブ５２の左右の取付足５２ａを側面方向から押え、本体部１５Ｂが、足押え部１５Ａが離れないように、本体部１５Ｂに形成した２ケ所の孔部１５Ｂ１でネジ９１により固定される。また、本体部１５Ｂがバルブベッド３０から外れないように、本体部１５Ｂの足押え部１５Ａから離れた位置に形成されている孔部１５Ｂ２でネジ９１により固定される。
【００４９】  係止部１５Ｃは、バルブベッド３０の上端部３０ａに係止され、ガス側バルブ５２に対する押え板１５の位置決めと、押え板１５の落下防止の役目を果たしている。引っかけ部１５Ｄは、バルブベッド３０の上端部３０ａに接することで、押え板１５の動きを規制する役目を果たしている。
【００５０】  以上説明したように、実施の形態２に係る室外機においても、押え板１５を用いてガス側バルブ５２を固定するようにしているので、実施の形態１と同様の効果を奏することになる。
【００５１】実施の形態３．  図９は、本発明の実施の形態３に係る空気調和機１００の冷媒回路構成の一例を示す概略構成図である。なお、図９では、冷房運転時の冷媒の流れを破線矢印で示し、暖房運転時の冷媒の流れを実線矢印で示している。
【００５２】＜空気調和機１００の構成＞  図９に示すように、空気調和機１００は、実施の形態１又は実施の形態２に係る室外機を備えている。なお、実施の形態３では、便宜的に実施の形態１に係る室外機５０を備えている場合を例に空気調和機１００について説明する。
【００５３】  空気調和機１００は、圧縮機６０、室内熱交換器８１、室内送風機８２、絞り装置６５、室外熱交換器７０、室外送風機７１、および、流路切替装置６６を備えている。圧縮機６０、室内熱交換器８１、絞り装置６５、室外熱交換器７０、および、流路切替装置６６が、冷媒配管９０によって接続され、冷媒回路が形成されている。  なお、室外機５０の一部の構成については、実施の形態１で説明した通りである。
【００５４】  室外機５０には、圧縮機６０、室外熱交換器７０、室外送風機７１の他に、流路切替装置６６及び絞り装置６５が配置されている。また、室外機５０には、ガス側バルブ５２及び液側バルブ５１が配置されている。
【００５５】  流路切替装置６６は、圧縮機６０の吐出側に設けられ、暖房運転と冷房運転とにおいて冷媒の流れを切り替えるものである。流路切替装置６６を特に限定するものではないが、例えば図９に示すように四方弁で流路切替装置を構成するとよい。
【００５６】  絞り装置６５は、室内熱交換器８１又は室外熱交換器７０を経由した冷媒を膨張させて減圧するものである。絞り装置６５は、例えば冷媒の流量を調整可能な電動膨張弁等で構成するとよい。なお、絞り装置６５としては、電動膨張弁だけでなく、受圧部にダイアフラムを採用した機械式膨張弁、または、キャピラリーチューブ等を適用することも可能である。また、絞り装置６５を、室外機５０ではなく、室内機８０に配置してもよい。
【００５７】  室内機８０には、室内熱交換器８１及び室内送風機８２が配置されている。  室内熱交換器８１は、暖房運転時には凝縮器として機能し、冷房運転時には蒸発器として機能するものである。室内熱交換器８１は、例えば、フィン・アンド・チューブ型熱交換器、マイクロチャネル熱交換器、シェルアンドチューブ式熱交換器、ヒートパイプ式熱交換器、二重管式熱交換器、プレート熱交換器等で構成することができる。なお、ここでは、室内熱交換器８１がフィン・アンド・チューブ型熱交換器である場合を例に説明する。  室内送風機８２は、室内熱交換器８１に付設されており、室内熱交換器８１に熱交換流体である空気を供給するものである。
【００５８】＜空気調和機１００の動作＞  次に、空気調和機１００の動作について、冷媒の流れとともに説明する。まず、空気調和機１００が実行する冷房運転について説明する。なお、冷房運転時の冷媒の流れは、図９の破線矢印で示している。ここでは、熱交換流体が空気であり、被熱交換流体が冷媒である場合を例に、空気調和機１００の動作について説明する。
【００５９】  圧縮機６０を駆動させることによって、圧縮機６０から高温高圧のガス状態の冷媒が吐出する。以下、破線矢印にしたがって冷媒が流れる。圧縮機６０から吐出した高温高圧のガス冷媒（単相）は、流路切替装置６６を介して凝縮器として機能する室外熱交換器７０に流れ込む。室外熱交換器７０では、流れ込んだ高温高圧のガス冷媒と、室外送風機７１によって供給される空気との間で熱交換が行われて、高温高圧のガス冷媒は、凝縮して高圧の液冷媒（単相）になる。
【００６０】  室外熱交換器７０から送り出された高圧の液冷媒は、絞り装置６５によって、低圧のガス冷媒と液冷媒との二相状態の冷媒になる。二相状態の冷媒は、蒸発器として機能する室内熱交換器８１に流れ込む。室内熱交換器８１では、流れ込んだ二相状態の冷媒と、室内送風機８２によって供給される空気との間で熱交換が行われて、二相状態の冷媒のうち液冷媒が蒸発して低圧のガス冷媒（単相）になる。この熱交換によって、室内が冷却されることになる。室内熱交換器８１から送り出された低圧のガス冷媒は、流路切替装置６６を介して圧縮機６０に流れ込み、圧縮されて高温高圧のガス冷媒となって、再び圧縮機６０から吐出する。以下、このサイクルが繰り返される。
【００６１】  次に、空気調和機１００が実行する暖房運転について説明する。なお、暖房運転時の冷媒の流れは、図９に実線矢印で示している。
【００６２】  圧縮機６０を駆動させることによって、圧縮機６０から高温高圧のガス状態の冷媒が吐出する。以下、実線矢印にしたがって冷媒が流れる。
【００６３】  圧縮機６０から吐出した高温高圧のガス冷媒（単相）は、流路切替装置６６を介して凝縮器として機能する室内熱交換器８１に流れ込む。室内熱交換器８１では、流れ込んだ高温高圧のガス冷媒と、室内送風機８２によって供給される空気との間で熱交換が行われて、高温高圧のガス冷媒は、凝縮して高圧の液冷媒（単相）になる。この熱交換によって、室内が暖房されることになる。
【００６４】  室内熱交換器８１から送り出された高圧の液冷媒は、絞り装置６５によって、低圧のガス冷媒と液冷媒との二相状態の冷媒になる。二相状態の冷媒は、蒸発器として機能する室外熱交換器７０に流れ込む。室外熱交換器７０では、流れ込んだ二相状態の冷媒と、室外送風機７１によって供給される空気との間で熱交換が行われて、二相状態の冷媒のうち液冷媒が蒸発して低圧のガス冷媒（単相）になる。
【００６５】  室外熱交換器７０から送り出された低圧のガス冷媒は、流路切替装置６６を介して圧縮機６０に流れ込み、圧縮されて高温高圧のガス冷媒となって、再び圧縮機６０から吐出する。以下、このサイクルが繰り返される。
【００６６】  なお、実施の形態１では、冷房専用機に適用される室外機５０を例に説明したが、実施の形態３に係る空気調和機１００のように冷暖切換可能な空気調和機に室外機５０を適用してもよい。この場合、押え板１０を、ガス側バルブ５２の固定だけでなく、室外機５０に設置されている他のバルブの固定に利用してもよい。
【００６７】  なお、実施の形態２で説明した押え板１５を適用した室外機を空気調和機１００の構成としてもよい。いずれの場合であっても、空気調和機１００は、室外機に設置されているガス側バルブを固定しているネジ９１の緩みを大幅に抑制することができる。そのため、空気調和機１００によれば、ネジ９１の緩みが原因となる故障の発生も低減され、信頼性の高いものとなる。
【符号の説明】
【００６８】  １０  押え板、１０Ａ  足押え部、１０Ａ１  孔部、１０Ｂ  本体部、１０Ｂ１  孔部、１０Ｂ２  孔部、１０Ｂａ  第１直線部、１０Ｂｂ  第２直線部、１０Ｃ  係止部、１０Ｄ  引っかけ部、１５  押え板、１５Ａ  足押え部、１５Ａ１  孔部、１５Ｂ  本体部、１５Ｂ１  孔部、１５Ｂ２  孔部、１５Ｃ  係止部、１５Ｄ  引っかけ部、２０  外郭パネル、２０Ａ  機械室、２０Ｂ  送風機室、３０  バルブベッド、３０Ｘ  バルブベッド、３０ａ  上端部、３１  取付板、３１Ｘ  取付板、４０  セパレータ、５０  室外機、５１  液側バルブ、５２  ガス側バルブ、５２Ｘ  ガス側バルブ、５２ａ  取付足、５２ａＸ  取付足、６０  圧縮機、６５  絞り装置、６６  流路切替装置、７０  室外熱交換器、７１  室外送風機、８０  室内機、８１  室内熱交換器、８２  室内送風機、９０  冷媒配管、９０Ｘ  冷媒配管、９１  ネジ、９１Ｘ  ネジ、９２  ネジ、９５  空間部、１００  空気調和機。
【図１】
0006567189.tif 000002
【図２】
0006567189.tif 000003
【図３】
0006567189.tif 000004
【図４】
0006567189.tif 000005
【図５】
0006567189.tif 000006
【図６】
0006567189.tif 000007
【図７】
0006567189.tif 000008
【図８】
0006567189.tif 000009
【図９】
0006567189.tif 000010